(57)【要約】【課題】ガスバーナーをガス台に対して上下動できる従来のガスコンロは、上下動する距離を長くするとガス台が大きくなってしまうという欠点があった。また、ガスバーナー上下動装置はガスバーナーの一側面のみを押圧しているので、ガスバーナーが傾き上下動の動きが悪くなり、ガス放出面も傾くので加熱効率も悪くなっていた。【解決手段】本発明のガスコンロは、ガス台と、上記ガス台に設けたガスバーナーと、上記ガスバーナーを上記ガス台に対して相対的に上下動せしめるガスバーナー高さ調整装置とよりなり、上記ガスバーナー高さ調整装置は、上記ガス台に水平面内で回転自在に設けた回転台と、上記回転台を回動せしめる回動装置と、上記回動装置に連動して、上記ガスバーナーを上記ガス台に対して相対的に上下動せしめるガスバーナー上下動装置とよりなることを特徴とする。【選択図】図１
2009150617.tif 000002
【特許請求の範囲】
【請求項１】
ガス台と、上記ガス台に設けたガスバーナーと、上記ガスバーナーを上記ガス台に対して相対的に上下動せしめるガスバーナー高さ調整装置とよりなり、
上記ガスバーナー高さ調整装置は、上記ガス台に水平面内で回転自在に設けた回転台と、上記回転台を回動せしめる回動装置と、上記回動装置に連動して、上記ガスバーナーを上記ガス台に対して相対的に上下動せしめるガスバーナー上下動装置とよりなることを特徴とするガスコンロ。
【請求項２】
上記ガスバーナー上下動装置は、ガスバーナーに設けた、外方に伸びる複数の係合部片と、上記回転台に固定した、上記各係合部片の遊端を斜め方向に移動自在にガイドする傾斜ガイド部を有する複数の板片と、上記回転台の上記各板片にそれぞれ対応して上記ガス台に固定した、上記各係合部片の遊端を上下方向に移動自在にガイドする上下ガイド部を有する複数の板片とよりなることを特徴とする請求項１記載のガスコンロ。
【請求項３】
ガス台に水平面内で回転自在に設けた回転台と、上記回転台を回動せしめる回動装置と、上記回動装置に連動して、上記ガスバーナーを上記ガス台に対して相対的に上下動せしめるガスバーナー上下動装置とよりなり、
上記ガスバーナー上下動装置は、ガスバーナーに設けた、外方に伸びる複数の係合部片と、上記回転台に固定した、上記各係合部片の遊端を斜め方向に移動自在にガイドする傾斜ガイド部を有する複数の板片と、上記回転台の上記各板片にそれぞれ対応して上記ガス台に固定した、上記各係合部片の遊端を上下方向に移動自在にガイドする上下ガイド部を有する複数の板片とよりなることを特徴とするガスバーナー高さ調整装置。
【請求項４】
上記傾斜ガイド部は、上記板片の上端に設けた傾斜面または、上記板片に設けた斜め方向に伸びる長孔であることを特徴とする請求項２記載のガスコンロ。
【請求項５】
上記傾斜ガイド部は、上記板片の上端に設けた傾斜面または、上記板片に設けた斜め方向に伸びる長孔であることを特徴とする請求項３記載のガスバーナー高さ調整装置。
【請求項６】
上記上下ガイド部は上記板片の上端から下方に延びる長溝または、上記板片に設けた上下方向に伸びる長孔であることを特徴とする請求項２記載のガスコンロ。
【請求項７】
上記上下ガイド部は上記板片の上端から下方に延びる長溝または、上記板片に設けた上下方向に伸びる長孔であることを特徴とする請求項３記載のガスバーナー高さ調整装置。
【発明の詳細な説明】
【技術分野】
【０００１】
本発明はガスバーナー高さ調整装置及びその装置を有するガスコンロ、特に、ガスバーナーの高さをスムーズに調整できるガスバーナー高さ調整装置及びその装置を有するガスコンロに関するものである。
【背景技術】
【０００２】
図２０及び図２１は従来のガスコンロを示し、１はガス台、２は上記ガス台１内の取付台３上に固定したガスバーナー、４は上記ガス台１の上面に設けた開口部、５は上記開口部４に設けた受け皿、６は上記ガス台１の上面に載置せしめたゴトク、７は上記ゴトク６上に載置した鍋、８は上記ガスバーナー２の火力調整つまみである。
【０００３】
上記従来のガスコンロにおいては、炎の大小により火力を調整をしているので、火力を弱くした場合には、ガスバーナー２の炎９が鍋７の底面から離れてしまい熱効率が悪くなり、また、火力を強くした場合には、炎９の根元部分が鍋７の底面に当たり温度の高い炎の先端が乱れるので熱効率が悪かった。
【０００４】
そのため、図２２に示すように、ガスバーナー２の下面に固定した基部１０の側面に上下方向にラック１１を設け、上記ラック１１に噛み合わせたピニオン１２をつまみ１３により回動せしめることにより上記基部１０を上下動せしめるガスコンロがある。このようなガスコンロとしては特許文献１がある。
【特許文献１】実開昭６３−１５９６１５号公報
【発明の開示】
【発明が解決しようとする課題】
【０００５】
しかしながら、上記従来のガスコンロにおいては、ガスバーナー２を上下動せしめる距離が長いほど、上記基部１０を長くとる必要があり、ガスコンロが大きくなってしまうという欠点があった。また、ピニオン１２がガスバーナー２の基部１０の一側面のみを押圧しているので、使用するうちにガスバーナー２の軸が垂直方向に対して傾き、ガスバーナー２をスムーズに上下動できなかった。また、ガスバーナー２の軸が傾けばガスバーナー２の上面のガス放出面が傾き、また、空気供給が悪くなり加熱効率が悪くなっていた。
【０００６】
本発明は上記の欠点を除き、ガスバーナーをスムーズに上下動できるようにしたものである。
【課題を解決するための手段】
【０００７】
本発明のガスコンロは、ガス台と、上記ガス台に設けたガスバーナーと、上記ガスバーナーを上記ガス台に対して相対的に上下動せしめるガスバーナー高さ調整装置とよりなり、上記ガスバーナー高さ調整装置は、上記ガス台に水平面内で回転自在に設けた回転台と、上記回転台を回動せしめる回動装置と、上記回動装置に連動して、上記ガスバーナーを上記ガス台に対して相対的に上下動せしめるガスバーナー上下動装置とよりなることを特徴とする。
【０００８】
また、上記ガスバーナー上下動装置は、ガスバーナーに設けた、外方に伸びる複数の係合部片と、上記回転台に固定した、上記各係合部片の遊端を斜め方向に移動自在にガイドする傾斜ガイド部を有する複数の板片と、上記回転台の上記各板片にそれぞれ対応して上記ガス台に固定した、上記各係合部片の遊端を上下方向に移動自在にガイドする上下ガイド部を有する複数の板片とよりなることを特徴とする。
【０００９】
また、本発明のガスバーナー高さ調整装置は、ガス台に水平面内で回転自在に設けた回転台と、上記回転台を回動せしめる回動装置と、上記回動装置に連動して、上記ガスバーナーを上記ガス台に対して相対的に上下動せしめるガスバーナー上下動装置とよりなり、上記ガスバーナー上下動装置は、ガスバーナーに設けた、外方に伸びる複数の係合部片と、上記回転台に固定した、上記各係合部片の遊端を斜め方向に移動自在にガイドする傾斜ガイド部を有する複数の板片と、上記回転台の上記各板片にそれぞれ対応して上記ガス台に固定した、上記各係合部片の遊端を上下方向に移動自在にガイドする上下ガイド部を有する複数の板片とよりなることを特徴とする。
【００１０】
上記傾斜ガイド部は、上記板片の上端に設けた傾斜面または、上記板片に設けた斜め方向に伸びる長孔であることを特徴とする。
【００１１】
上記上下ガイド部は上記板片の上端から下方に延びる長溝または、上記板片に設けた上下方向に伸びる長孔であることを特徴とする。
【発明の効果】
【００１２】
本発明のガスバーナー高さ調整装置によれば、鍋等に対する炎の位置を最適に設定できるので、火力を強くしても弱くしても最適の位置でガスの炎を使用でき、ガス効率が良いという大きな利益がある。
【００１３】
また、水平回転を上下運動に変換するガスバーナー上下動装置を用いているので、ガス台の高さを小さくすることができ、また、ガスバーナーをスムーズに上下動せしめることができるので、長期に渡って安定して鍋を加熱することができる。
【発明を実施するための最良の形態】
【００１４】
以下図面によって本発明の実施例を説明する。
【実施例１】
【００１５】
本発明のガスコンロは、図１及び図２に示すように、ガス台１と、上記ガス台１内の取付台３上に固定したガスバーナー２と、上記取付台３に枢支部１４を介して水平面内で回転自在に設けた円環状の回転台１５と、上記回転台１５を回動せしめる回動装置１６と、上記回動装置１６に連動して、上記ガスバーナー２を上記回転台１５に対して相対的に上下動せしめるガスバーナー上下動装置１７とよりなる。
【００１６】
上記枢支部１４は、図３及び図４に示すように、上記取付台３に互いに等距離に離間して固定した３つの軸受１８よりなり、上記軸受１８は、上記取付台３に垂立せしめて固定したピン１９と、上記ピン１９に回転自在に設けたベアリング２０と、上記ベアリング２０の抜け止めのＥリング２１とよりなり、上記３つの軸受１８により上記回転台１５をその縁部から挟持せしめ、上記回転台１５を上記取付台３に対して回転自在に支持せしめる。
【００１７】
上記回動装置１６は、図３及び図５に示すように、上記回転台１５の上面外周部に設けたクラウンギヤ２２と、上記クラウンギア２２に噛合うピニオンギヤ２３と、上記ピニオンギヤ２３の軸２４と、上記ピニオンギヤ２３の軸２４の端部にギヤ部２５を介して設けた高さ調整用の回転つまみ２６とよりなる。
【００１８】
上記ガスバーナー上下動装置１７は、図６〜図８に示すように、上記回転台１５の上面に互いに等距離に離間して固定した、斜め方向に伸びる傾斜長孔２７を有する３つの板片２８と、上記回転台１５の各板片２８にそれぞれ対応して上記取付台３に固定した、上下方向に伸びる上下長孔２９を有する３つの板片３０と、図１及び図９に示すように、上記ガスバーナー２の側面に互いに等間隔に離間して固定した、その遊端が上記回転台１５に固定した各板片２８の傾斜長孔２７と上記取付台３に固定した各板片３０の上下長孔２９に挿入される３本の棒体３１とよりなる。
【００１９】
なお、上記回転台１５に固定した各板片２８の傾斜長孔２７の傾斜方向はそれぞれ同じ方向に伸びる。
【００２０】
また、図６及び図９に示すように、上記ピニオンギヤ２３が上記クラウンギヤ２２の中央部にあるとき、上記ガスバーナー２の棒体３１が、上記回転台１５の板片２８の傾斜長孔２７及び上記取付台３の板片３０の上下長孔２９の中央部に位置せしめ、この場合において、図１０に示すように、通常の火力（中火）において、炎９の先端と鍋７の底部とが最適になるようにガスバーナー２とガス台１との距離を調整せしめる。
【００２１】
本発明のガスコンロは上記のような構成であるから、図１１及び図１２に示すように、上記高さ調整用の回転つまみ２６を回動せしめて、上記回転台１５を上記取付台３に対して相対的に時計方向に回動せしめれば、上記ガスバーナー２の棒体３１は上記取付台３の板片３０の上下長孔２９により左右方向の移動が規制されているので、上記ガスバーナー２の棒体３１は上記回転台１５の板片２８の傾斜長孔２７内を斜め上方に移動し、また、上記板片３０の上下長孔２９内を上方に移動し、図１３に示すように、上記ガスバーナー２がガス台１に対して上方に移動し、炎の高さが低い場合であっても、炎９と鍋７の底面との距離を最適の距離とすることができる。
【００２２】
また、図１４及び図１５に示すように、上記高さ調整用の回転つまみ２６を回動せしめて、上記回転台１５を上記取付台３に対して相対的に反時計方向に回動せしめれば、上記同様に上記ガスバーナー２の棒体３１は上記取付台３の板片３０の上下長孔２９により左右方向の移動が規制されているので、上記ガスバーナー２の棒体３１は上記板片２８の傾斜長孔２７内を斜め下方に移動し、また、上下長孔２９内を下方に移動し、図１６に示すように、上記ガスバーナー２がガス台１に対して下方に移動し、炎の高さが高い場合であっても、炎９と鍋７の底面との距離を最適にすることができるようになる。
【００２３】
なお、上記ガスバーナー２の側面に棒体３１を設ける代わりに、図１７に示すように、上面に上記ガスバーナー２の下部に嵌合可能な凹部を有し、側面に互いに等間隔に離間して、例えばその側面の一部を切り起こして外方に突出せしめた３本の突片３２を有する皿状の受け部材３３を用い、上記各突片３２の遊端を上記回転台１５に固定した各板片２８の傾斜長孔２７と上記取付台３に固定した各板片３０の上下長孔２９に挿入せしめ、上記受け部材３３の凹部に上記ガスバーナー２の下部を嵌合せしめ、上記ガスバーナー２をガス台に対して上下動可能ならしめてもよい。なお、上記受け部材３３と上記ガスバーナーを遊嵌せしめ、上記受け部材３３に連動して、上記ガスバーナー２を上下動ならしめてもよい。
【００２４】
また、上記回転台１５に傾斜長孔２７を有する板片２８を固定する代わりに、図１８に示すように、上端を傾斜せしめた傾斜面３４を有する板片３５を上記回転台１５に固定せしめてもよい。
【００２５】
また、上記取付台３に上下長孔２９を有する板片３０を固定する代わりに、図１９に示すように、上端から下方に伸びる上下長溝３６を有する板片３７を上記取付台３に固定せしめてもよい。
【００２６】
本発明のガスバーナー高さ調整装置によれば、鍋等に対する炎の位置を最適に設定できるので、火力を強くしても弱くしても最適の位置でガスの炎を使用でき、ガス効率が良いという大きな利益がある。
【００２７】
また、水平回転を上下運動に変換するガスバーナー上下動装置を用いているので、ガス台の高さを小さくすることができ、また、ガスバーナーをスムーズに上下動せしめることができるので、長期に渡って安定して鍋を加熱することができる。
【図面の簡単な説明】
【００２８】
【図１】本発明のガスコンロの要部の説明用平面図である。
【図２】本発明のガスコンロの要部の縦断側面図である。
【図３】本発明のガスコンロの回転台と回動装置の説明用平面図である。
【図４】本発明のガスコンロの枢支部の説明用縦断側面図である。
【図５】本発明のガスコンロの回動装置の説明用縦断側面図である。
【図６】本発明のガスコンロのガスバーナー上下動装置の説明用平面図である。
【図７】本発明のガスコンロのガスバーナー上下動装置の要部の説明用側面図である。
【図８】本発明のガスコンロのガスバーナー上下動装置の要部の説明用側面図である。
【図９】本発明のガスコンロのガスバーナー上下動装置の要部の説明用側面図である。
【図１０】本発明のガスコンロの説明用側面図である。
【図１１】本発明のガスコンロのガスバーナー上下動装置の説明用平面図である。
【図１２】本発明のガスコンロのガスバーナー上下動装置の説明用側面図である。
【図１３】本発明のガスコンロの説明用側面図である。
【図１４】本発明のガスコンロのガスバーナー上下動装置の説明用平面図である。
【図１５】本発明のガスコンロのガスバーナー上下動装置の説明用側面図である。
【図１６】本発明のガスコンロの説明用側面図である。
【図１７】本発明のガスコンロの他の実施例のガスバーナー上下動装置の要部の説明用側面図である。
【図１８】本発明のガスコンロの他の実施例のガスバーナー上下動装置の要部の説明用側面図である。
【図１９】本発明のガスコンロの他の実施例のガスバーナー上下動装置の要部の説明用側面図である。
【図２０】従来のガスコンロの説明用平面図である。
【図２１】従来のガスコンロの説明用側面図である。
【図２２】従来の他のガスコンロの説明用斜視図である。
【符号の説明】
【００２９】
１  ガス台
２  ガスバーナー
３  取付台
４  開口部
５  受け皿
６  ゴトク
７  鍋
８  火力調整つまみ
９  炎
１０  基部
１１  ラック
１２  ピニオン
１３  つまみ
１４  枢支部
１５  回転台
１６  回動装置
１７  上下動装置
１８  軸受
１９  ピン
２０  ベアリング
２１  Ｅリング
２２  クラウンギヤ
２３  ピニオンギヤ
２４  軸
２５  ギヤ部
２６  回転つまみ
２７  傾斜長孔
２８  板片
２９  上下長孔
３０  板片
３１  棒体
３２  突片
３３  皿状受け部材
３４  傾斜面
３５  板片
３６  上下長溝
３７  板片
【図１】
2009150617.tif 000003
【図２】
2009150617.tif 000004
【図３】
2009150617.tif 000005
【図４】
2009150617.tif 000006
【図５】
2009150617.tif 000007
【図６】
2009150617.tif 000008
【図７】
2009150617.tif 000009
【図８】
2009150617.tif 000010
【図９】
2009150617.tif 000011
【図１０】
2009150617.tif 000012
【図１１】
2009150617.tif 000013
【図１２】
2009150617.tif 000014
【図１３】
2009150617.tif 000015
【図１４】
2009150617.tif 000016
【図１５】
2009150617.tif 000017
【図１６】
2009150617.tif 000018
【図１７】
2009150617.tif 000019
【図１８】
2009150617.tif 000020
【図１９】
2009150617.tif 000021
【図２０】
2009150617.tif 000022
【図２１】
2009150617.tif 000023
【図２２】
2009150617.tif 000024